(57)【特許請求の範囲】
【請求項１】
一対の側面フィルムと下部に挟み込まれた底面フィルムとが熱シールされてなる袋本体を有するスタンディングパウチであって、
前記袋本体がさらに、開口部を残して上辺の両端から中央に向けて熱シール部が延設されると共に、樹脂の射出成形により形成された柱状の補強部材が前記袋本体のサイドシール部と上辺の延設されたシール部とに沿って、少なくとも前記サイドシール部の端面と前記延設されたシール部の端面を覆うように接合されており、上辺の前記延設されたシール部の端面を覆う前記補強部材は、上辺の両端において屈曲して開口部の左右両端から離れた位置に延在し、前記サイドシール部の端面を覆う前記補強部材の下端面は、袋本体の下辺より上方に位置することを特徴とするスタンディングパウチ。
【請求項２】
前記サイドシール部の下部に切欠が設けられており、前記補強部材の下端面が前記切欠内に突出していることを特徴とする請求項１に記載のスタンディングパウチ。
【請求項３】
前記補強部材を構成する樹脂が前記側面フィルムを構成する少なくとも一層の樹脂層と融着可能な樹脂であることを特徴とする請求項１または２に記載のスタンディングパウチ。
【請求項４】
前記補強部材を構成する樹脂が少なくとも一方の前記側面フィルムの最外層の樹脂層と融着可能な樹脂であることを特徴とする請求項３に記載のスタンディングパウチ。
【請求項５】
前記袋本体の下辺の両側の隅部が円弧状に断裁されて丸められていることを特徴とする請求項１ないし４のいずれかに記載のスタンディングパウチ。
【請求項６】
前記袋本体の上辺の開口部にスパウトが取り付けられていることを特徴とする請求項１ないし５のいずれかに記載のスタンディングパウチ。
【請求項７】
請求項６に記載のスタンディングパウチの製造方法であって、
一対の側面フィルム同士およびそれらと下部に挟み込まれた底面フィルムとの熱シールが完了した袋本体を金型にインサートして樹脂の射出成形により柱状の補強部材を設けたのち、前記袋本体の上部にスパウトを取り付けることを特徴とするスタンディングパウチの製造方法。
【請求項８】
請求項６に記載のスタンディングパウチの製造方法であって、
一対の側面フィルム同士およびそれらと下部に挟み込まれた底面フィルムとの熱シールが完了した袋本体を金型にインサートして樹脂の射出成形により柱状の補強部材を設けたのち、補強部材付きの袋を充填機にセットして内容物の充填を行い、充填後に前記袋本体の上部にスパウトを取り付けることを特徴とするスタンディングパウチの製造方法。
【発明の詳細な説明】
【技術分野】
【０００１】
本発明は、一対の側面フィルムと下部に挟み込まれた底面フィルムとからなる袋本体を有するスタンディングパウチおよびその製造方法に関する。
【背景技術】
【０００２】
従来、フレキシブルでありながら自立性に優れるスタンディングパウチ（自立袋ともいう）が製造されている。この種のスタンディングパウチは、内容物が充填されていてかつ未開封であるときには自立性に優れている。しかし、袋を開封して内容物を一部取り出し、残量が少なくなると自立性や保形性が悪くなり、袋の中間で折れ曲がって袋の口が下を向き、内容物が漏れたりこぼれたりするおそれがある。特に袋の上部にスパウト（注出口）を設けた場合にはスパウトの重みにより安定性が悪くなり、袋が中折れしたり倒れてしまうことがある。また、内容物が袋を傾けて内容物を注ぎ出すときに袋が折れ曲がると、所望の位置に内容物を注ぐことができず、こぼしてしまうおそれがある。
【０００３】
このため、特許文献１では、スタンディングパウチ（自立袋）の袋本体の上辺から両側端縁にかけて、スパウト（クロージャー部）が一体に成形された略逆凹型の枠体を取り付けている。この枠体は、袋本体の周囲に溶融樹脂を注入して射出成形を行う方法などにより袋本体の端縁に接合可能とされている。
また、特許文献２は、スタンディングパウチに関するものではないが、袋本体を構成するソフトシートの少なくとも一部の外周端縁を射出成形樹脂で接合シールするとともに、該外周端縁に貫通管路を射出成形樹脂で同時に形成するソフトバッグの製造方法が記載されている。
【特許文献１】特開２００３−２７６７４１号公報
【特許文献２】特開２００２−１３６５７３号公報
【発明の開示】
【発明が解決しようとする課題】
【０００４】
しかしながら、特許文献１に記載のスタンディングパウチは、スパウトと一体になった枠体が袋本体の上辺を覆っているため、内容物の充填はスパウトを通して行うことになり、開口が小さいので充填のスピードを速くできない。
また、枠体の下端面が袋本体の下辺に達していると、枠体が袋本体の下辺から突出することがある。この場合、自立させたときの安定性が悪くなる。
また、枠体を金型にインサートして成形するとき、枠体を形成するための金型が袋本体を挟み込む箇所で樹脂が漏れ出してバリになることがある。このとき、枠体の下端面が袋本体の下辺より上方に位置していると、バリが枠体の下端面から下向きに伸びるので、バリが袋本体の下辺から突出すると、自立させたときの安定性が悪くなる。
【０００５】
本発明は、上記事情に鑑みてなされたものであり、自立させたときの自立性、保形性、安定性を向上できるスタンディングパウチおよびその製造方法を提供することを課題とする。
【課題を解決するための手段】
【０００６】
前記課題を解決するため、本発明は、一対の側面フィルムと下部に挟み込まれた底面フィルムとが熱シールされてなる袋本体を有するスタンディングパウチであって、前記袋本体がさらに、開口部を残して上辺の両端から中央に向けて熱シール部が延設されると共に、樹脂の射出成形により形成された柱状の補強部材が前記袋本体のサイドシール部と上辺の延設されたシール部とに沿って、少なくとも前記サイドシール部の端面と前記延設されたシール部の端面を覆うように接合されており、上辺の前記延設されたシール部の端面を覆う前記補強部材は、上辺の両端において屈曲して開口部の左右両端から離れた位置に延在し、前記サイドシール部の端面を覆う前記補強部材の下端面は、袋本体の下辺より上方に位置することを特徴とするスタンディングパウチを提供する。
【０００７】
上記スタンディングパウチは、前記サイドシール部の下部に切欠が設けられており、前記補強部材の下端面が前記切欠内に突出していることが好ましい。
補強部材を構成する樹脂は、前記側面フィルムを構成する少なくとも一層の樹脂層と融着可能な樹脂であることが好ましい。特に、少なくとも一方の側面フィルムの最外層の樹脂層と融着可能な樹脂であることが好ましい。
袋本体の下辺の両側の隅部は、円弧状に断裁されて丸められていることが好ましい。
スタンディングパウチは、袋本体の上辺の開口部にスパウトが取り付けられていることが好ましい。
【０００８】
また本発明は、袋本体の上部にスパウトが取り付けられている上記スタンディングパウチの製造方法であって、一対の側面フィルム同士およびそれらと下部に挟み込まれた底面フィルムとの熱シールが完了した袋本体を金型にインサートして樹脂の射出成形により柱状の補強部材を設けたのち、前記袋本体の上部にスパウトを取り付けることを特徴とするスタンディングパウチの製造方法を提供する。
【０００９】
また本発明は、袋本体の上部にスパウトが取り付けられている上記スタンディングパウチの製造方法であって、一対の側面フィルム同士およびそれらと下部に挟み込まれた底面フィルムとの熱シールが完了した袋本体を金型にインサートして樹脂の射出成形により柱状の補強部材を設けたのち、補強部材付きの袋を充填機にセットして内容物の充填を行い、充填後に前記袋本体の上部にスパウトを取り付けることを特徴とするスタンディングパウチの製造方法を提供する。
【発明の効果】
【００１０】
本発明のスタンディングパウチによれば、袋本体がさらに開口部を残して上辺の両端から中央に向けて熱シール部が延設されることにより、シール金型として補強部材に当たらないような短い金型を使用しても袋本体の両端近傍のシールが不充分となることがない。したがって、上部開口部の密封融着や上部開口部へのスパウト取り付け作業が容易で確実となる。また、補強部材の下端面が袋本体の下辺より上方に位置することにより、補強部材が袋本体の下辺より下方に突出することがないので、自立させたときの安定性を良くすることができる。
【００１１】
上辺において補強部材の延設部があると、スパウトの存在により、補強部材の上端面が他の物品と接触する確率が低くなる。たとえ接触したとしても補強部材の延設部を剥離させる方向の力が加わりにくいので、補強部材が外れにくくなる。
【００１２】
サイドシール部の下部に切欠を設け、補強部材の下端面を切欠内に突出させた場合、金型の型締め時に切欠を通して金型同士を隙間なく合わせることができるので、補強部材の下端面からのバリの発生を抑制することができる。
また、切欠の周縁に位置する側面フィルムの端面の外側角部も射出された樹脂によって覆われて接合されるので、ここが剥離の開始点となりにくい。すなわち、補強部材の下端面が側面フィルムとの接合剥離の開始点となりにくいので、側面フィルムに対する補強部材の接合強度が向上する。
【００１３】
補強部材を構成する樹脂が側面フィルムを構成する少なくとも一層の樹脂層と融着可能な樹脂である場合、射出成形により補強部材と側面フィルムの端面とを融着させることができ、補強部材の接合強度を向上することができる。
そして、補強部材を構成する樹脂が少なくとも一方の側面フィルムの最外層の樹脂層と融着可能な樹脂である場合、射出成形により補強部材と側面フィルムの外表面とを融着させることができ、補強部材の接合強度をより向上することができる。
【００１４】
袋本体の下辺の両側の隅部を円弧状に断裁して丸めた場合、内容物を充填密封したスタンディングパウチを自立させたときに該隅部が下辺の他の部分より下方に突出することがないので、側面フィルムの下端全体が載置面に均等に当接し、自立させたときの安定性を良くすることができる。
【００１５】
袋本体の上部にスパウトを取り付ける場合、袋本体を金型にインサートして樹脂の射出成形により柱状の補強部材を少なくとも袋本体のサイドシール部の端面を覆う位置に設けたのち、補強部材付きの袋を充填機にセットして内容物の充填を行い、充填後に前記袋本体の上部にスパウトを取り付けることにより、充填時に袋本体の上部を大きく開口させることができるので、充填のスピードを速くすることができる。
【発明を実施するための最良の形態】
【００１６】
以下、最良の形態に基づき、図面を参照して本発明を説明する。
図１（ａ）は本発明のスタンディングパウチの一例を示す正面図であり、図１（ｂ）は図１（ａ）のＡ−Ａ線に沿う断面図である。図２は、図１のスタンディングパウチにおける袋本体を示す正面図である。図３は、本発明のスパウト付きスタンディングパウチの下部を膨らませて自立させた状態の一例を示す斜視図である。図４は、図３の矢印Ｂの方向からスタンディングパウチの下部を水平方向に見たときの部分拡大図である。なお、図面中、シール部の領域を明瞭に示すため、交差した平行斜線（クロスハッチング）を用いた場合がある。
【００１７】
図１に示すように、本形態例のスタンディングパウチ１０は、袋本体１と、樹脂の射出成形により形成され、袋本体１のサイドシール部４、４および延設シール部１２、１２に接合された柱状の補強部材１１、１１とを有する。このスタンディングパウチ１０は、例えば、袋本体１を金型にインサートして、樹脂の射出成形により、柱状の補強部材１１の形成と袋本体１への接合を同時に行う方法で製造することが可能である。
【００１８】
ここで袋本体１は、図２に示すように、一対の側面フィルム２、２と、側面フィルム２、２の下部に挟み込まれた底面フィルム３とから構成されている。また、底面フィルム３は折り線３ａに沿って２つ折りにされており、折り線３ａが内向き（図２の上向き）となるように、図２において袋本体１の下辺１ａと折り線３ａの間に重ね合わされている。
【００１９】
２枚の側面フィルム２、２は同形状であり、両者を接合するため、左右両側に融着によりサイドシール部４、４が形成されている。袋の上部においてサイドシール部４は、袋本体１の上辺１ｂまで達している。さらに袋本体１の上辺１ｂの両端から中央に向けて延設シール部１２が延設されている。
また、側面フィルム２、２と底面フィルム３とを接合するため、袋本体１の下部に融着によりボトムシール部６が形成されている。ボトムシール部６は、上下方向のシール幅が左右のサイドシール部４、４に近いほど大きくなる略円弧状に形成されており、袋の幅方向中央部で底を大きく広げることが可能になっている。
袋本体１の上部において、左右の延設シール部１２、１２の間には、袋本体１の上辺１ｂに沿って側面フィルム２、２の間を未融着とすることにより、開口部８が形成されている。
【００２０】
側面フィルム２および底面フィルム３として用いられるフィルムは、少なくとも片面が熱融着性を有するプラスチックフィルムや、それらのプラスチックフィルムにアルミ箔、紙などとラミネートして構成されるラミネートフィルム等の基材を用いることができる。底面フィルム３は、側面フィルム２と同種の基材であってもよく、あるいは異なる基材であってもよい。
前記基材としては、熱融着性を有する単層のプラスチックフィルム、外層に熱融着性を有する樹脂層を備える共押出多層フィルム、熱融着性を有する樹脂層とアルミ箔などの金属箔、紙や各種プラスチックフィルムとをラミネートしたラミネートフィルムなどが例示される。
樹脂層やプラスチックフィルムとしては、特に限定はないが、熱融着性を有しシーラント層ともなりうるものとしてはポリエチレンやポリプロピレン等のポリオレフィン系樹脂が好適に用いられる。フィルムの強度を補強する樹脂としては、ナイロンなどのポリアミド系樹脂、ポリエチレンテレフタレートなどのポリエステル系樹脂、上記ポリオレフィン系樹脂等が挙げられる。補強用樹脂層は、一軸または二軸に延伸されたフィルムであると、強度や寸法安定性に優れ、好ましい。
【００２１】
側面フィルム２および底面フィルム３として用いられるフィルムは、両者とも単層のプラスチックフィルムであっても差し支えないが、補強用樹脂層が積層されていることが好ましい。特に、側面フィルム２は、両面に熱融着性樹脂層を備える積層フィルムとすると、片面をシーラント層として用いると共に、反対面（外表面）で補強部材１１と強固に熱融着することができるので、好ましい。そして、底面フィルム３は、折り線３ａで折り込まれたとき外面となる片面に熱融着性を有する熱可塑性樹脂からなるシーラント層が設けられ、シーラント層の反対側の面はシーラント層を熱融着する条件では熱融着性を示さない延伸フィルム等で構成されるものが、製袋作業に優れ、好ましい。
【００２２】
前記基材は、必要に応じて酸素や水蒸気等のガスを遮断する機能を付与するため、ガスバリア層を設けることができる。ガスバリア層は、エチレン−ビニルアルコール共重合体（ＥＶＯＨ）層やポリ塩化ビニリデン系樹脂層の共押出、コーティングやラミネート、あるいは金属やセラミックの蒸着等によって形成することができる。
基材の厚さは、特に限定されるものではないが、例えば２０〜９００μｍが好ましい。袋体の保形性や自立性の点ではより厚い基材が適するが、柔軟性、軽量性や省資源の点では薄い基材が好ましい。特に本発明ではパウチの両側部に補強部材１１を設けることにより、薄い基材であっても保形性、自立性を確保することができる。成形性や取扱い性から特に望ましい厚みは、１００〜２００μｍの範囲が好適である。
【００２３】
袋本体１のサイドシール部４、４および延設シール部１２、１２には、樹脂の射出成形により、柱状の補強部材１１、１１が接合されている。
図１（ａ）、図１（ｂ）に示すように、補強部材１１は、袋本体１のサイドシール部４および延設シール部１２に沿う形状に形成されており、射出成形により、少なくともサイドシール部４の端面４ａと延設シール部１２の端面を覆うように接合されており、袋本体１の上辺１ｂの両端において屈曲し、該上辺１ｂに沿う延設部１１ｃを有する形状となっている。
補強部材１１を構成する樹脂は、射出成形により成形可能であればよい。補強部材１１と袋本体１との接合は、例えばサイドシール部４を両面から挟み込むように、補強部材１１を断面コ字状に形成して、断面コ字状の溝により物理的な嵌合力で接合するものでもよい。好ましくは、補強部材１１を構成する樹脂として、側面フィルム２を構成する少なくとも一層の樹脂層（例えばシーラント層や外表面の樹脂層）と融着可能な樹脂を用い、射出成形時に射出用の溶融樹脂の熱によって側面フィルム２の該樹脂層を溶融させ、補強部材１１をサイドシール部４と延設シール部１２の端面および外表面に融着することが好ましい。
【００２４】
具体的には、補強部材１１をサイドシール部４の端面４ａに融着する場合、例えば、補強部材１１を側面フィルムのシーラント層と融着可能な樹脂で成形し、補強部材１１をシーラント層の端面と融着することができる。また、補強部材１１を側面フィルムの外表面の樹脂層に融着する場合、側面フィルム２の外表面を融着可能な樹脂層で構成すると共に、補強部材１１を側面フィルム２の外表面と融着可能な樹脂で成形し、補強部材１１を側面フィルム２の外表面と融着することができる。補強部材１１を側面フィルム２の外表面と融着すると高い接合強度が得られるので、より好ましい。
【００２５】
補強部材１１を構成する熱可塑性樹脂としては、ポリエチレンやポリプロピレン等のポリオレフィン系樹脂、ナイロンなどのポリアミド系樹脂、ポリエチレンテレフタレートなどのポリエステル系樹脂等が挙げられる。特に、補強部材１１を構成する熱可塑性樹脂として、側面フィルム２のシーラント層および外表面のうち一方または両方を構成する熱可塑性樹脂と同種または同一の樹脂を選定すると、熱融着によって高い接合強度が得られるので好ましい。
【００２６】
延設シール部１２上において補強部材１１の上端面１１ｂは、開口部８の左右両端から離れた位置に位置している。また、袋本体１の上辺１ｂに沿う延設シール部１２の長さは、補強部材１１の延設部１１ｃの長さよりも長くされている。このため、図８に示すように、開口部８を融着密封するシール金型３２の両端部と補強部材１１の上端面１１ｂとの間に隙間を確保することができる。このため、充填後の上部開口部８を密封融着する際、あるいは、上部開口部８にスパウトを取り付ける際に、シール金型が補強部材１１に当たることがないので作業が容易で確実となる。また、補強部材１１の下端面１１ａは、袋本体１の下辺１ａより上方に位置している。このため、袋本体１の下部を膨らませて自立させたとき、補強部材１１が袋本体１の下辺１ａより下方に突出することがなく、自立性および安定性を良くすることができる。補強部材１１の厚さは特に限定されるものではないが、袋本体１の保形性や自立性を向上させる点では、例えば０．１〜５．０ｍｍ程度とすることができる。
【００２７】
サイドシール部４の下部には切欠５ａが設けられており、補強部材１１の下端面１１ａが切欠５ａ内に突出している。これにより、補強部材１１を射出成形で形成と同時に袋本体１に接合するとき、金型の型締め時に切欠５ａを通して補強部材１１の下端面１１ａを成形する金型同士を、側面フィルム２、２またはそれらと底面フィルム３を介することなく直接当接させることができる。よって、金型同士で緩みのないキャビティを形成することができ、補強部材１１の下端面１１ａからのバリの発生を抑制することができる。
【００２８】
また、切欠５ａの周縁に位置する側面フィルム２、２の端面の外側角部９ａ（図２参照）も射出された樹脂によって覆われ、補強部材１１の下端部が切欠５ａの周縁を跨いで接合される。この結果、補強部材１１の下端面１１ａが側面フィルム２、２との接合剥離の開始点となりにくいので、サイドシール部４に対する補強部材１１の接合強度が向上する。
【００２９】
本形態例のスタンディングパウチ１０の場合、図２に示すように、袋本体１の下辺１ａの両側の隅部７、７は、円弧状に断裁されて丸められている。これにより、図４に示すように、平面Ｆ上で内容物が充填密封されたスタンディングパウチを自立させたときに、袋本体１の表側と裏側の隅部７、７間が自重で開く方向に撓む。したがって、袋本体１の下辺１ａの他の部分より下方に突出することがないので、袋本体１の下辺１ａ全体が平面Ｆに均等に当接し、袋本体１の下辺１ａ全体で支えることができ、自立させたときの安定性を良くすることができる。
【００３０】
これに対して、図５に示すスタンディングパウチにおいては、内容物を充填密封すると、図６に示すように、袋本体１０１の下辺１０１ａの両側の隅部１０７、１０７が尖ってしまい、スタンディングパウチを自立させたときに該隅部１０７が袋本体１０１の下辺１０１ａの他の部分より下方に突出する。したがって、自立させたときに揺れて安定性が悪くなることがある。
【００３１】
本形態例のスタンディングパウチ１０を用いて内容品の包装を行うためには、袋本体１の上部の開口部８から内容品を充填した後に開口部８を融着して密封する方法を用いることができる。また、内容物の取り出しを容易にするため、図３に示すスパウト付きスタンディングパウチ２０のように、袋本体１の上辺１ｂ、１ｂの間にスパウト２１を取り付けることが好ましい。
【００３２】
スパウト２１は、スパウト２１を袋本体１に融着するため、側面フィルム２、２のシーラント層と融着可能な熱可塑性樹脂の層を少なくとも表面に有するスパウト２１が好ましい。特に、側面フィルム２と融着が可能な熱可塑性樹脂から成形されたスパウトが好ましい。スパウト２１を形成するための材質としては、ポリエチレン（ＰＥ）、ポリプロピレン（ＰＰ）、エチレン―酢酸ビニル共重合体（ＥＶＡ）、ポリエチレンテレフタレート（ＰＥＴ）などのポリエステル、ナイロン等のポリアミド、環状ポリオレフィン、ポリブチレンなどの熱可塑性プラスチックを用いることができる。スパウト２１を樹脂で構成する場合、補強部材１１と同種または同一の樹脂としてもよい。
【００３３】
袋本体１に対するスパウト２１の接合は、側面フィルム２、２同士の接合のため袋本体１の上部に融着によりトップシール部２３を形成する際に、同時に行ってもよい。また、トップシール部２３を形成するための加熱とは別に、スパウト２１を接合するための加熱を追加して行ってもよい。スパウト２１が２枚の側面フィルム２，２間に挟み込まれて接合される融着基部２１ａは、船形のフランジ状とすることにより、袋本体１に対して融着基部２１ａをより確実にシールすることができるので好ましい。なお、スパウト２１の固着に接着剤等を用いることもできる。
【００３４】
スパウト２１は、密封のためにキャップ２２等の閉鎖手段によって密封することができる。内容物を一部取り出した後、繰り返し密封ができるように、脱着自在に取り付け可能なキャップ２２が閉鎖手段として好ましい。また、閉鎖手段は、一旦開封すると痕跡が残って改竄防止機能（ピルファープルーフ性）を備えることも好ましい。
【００３５】
スパウト２１付きのスタンディングパウチ２０を製造する場合、袋本体１を金型にインサートして樹脂の射出成形により柱状の補強部材１１を設けたのち、前記袋本体１の上部にスパウト２１を取り付けるという順序が好ましい。特に、袋本体１を金型にインサートして樹脂の射出成形により柱状の補強部材１１を設けたのち、補強部材１１付きのスタンディングパウチ１０を充填機にセットして内容物の充填を行い、充填後に袋本体１の上部にスパウト２１を取り付けるという順序が好ましい。これにより、スパウト２１を取り付ける前に内容物の充填が可能になり、充填時に袋本体１の上部の開口部８を大きく開口させることができるので、充填のスピードを速くすることができる。
【００３６】
具体的には、充填機のホルダーやチャックにセットされた補強部材１１付きスタンディングパウチ１０の上部の開口部８を開口し、ノズル等から内容物を充填したのち、パーツフィーダー等でスパウト２１を供給し、開口部８に挟み込んで熱融着を行う。
通常、充填機のシール金型や冷却金型の当接面は平坦であるが、スパウト２１を開口部８に挟み込んで熱融着を行う場合は、スパウト２１の融着基部２１ａの形状に対応した半円形や舟形形状の半割形状の凹部３２ｂをシール金型３２の当接面３２ａに設けておけばよい。スパウト２１の融着は確実に行う必要があることから、はじめに、図７（ａ）に示すようにスパウト２１の一部のみをヒートシールする幅の狭い第１のシール金型３１を用いてスパウト２１の融着基部２１ａのみを開口部８に融着し、次に、図７（ｂ）に示すように袋本体１の開口部８の周縁全体をヒートシールする幅の広い第２のシール金型３２を用いて、未融着のフィルム２、２同士を融着すると同時に融着基部２１ａの付け根を再度加熱加圧する、２段階融着が好ましい。スパウト２１が挟み込まれた側面フィルム２，２は応力が残るので、スパウト２１の融着後、冷却金型で押圧して速やかに冷却することが好ましい。
【００３７】
スタンディングパウチ１０の開口部８にスパウト２１を熱融着して開口部８を密封融着する際、シール金型３２が補強部材１１に当たらないようにするためには、図８に示すように、シール金型３２の長さを、左右の補強部材１１の上端面１１ｂ同士の距離より短くする必要がある。シール金型３２の両端部を左右の延設シール部１２に到達させることにより、シール金型３２が開口部８の全長を一度に熱融着できるため、開口部８の両端近傍のシールが不充分となることがない。なお、図８において、シール金型３２を駆動する装置は図示を省略してある。
【００３８】
袋本体１の上辺１ｂの両端より中央に向けて延設シール部１２を延設することにより、シール金型３２の両端部をサイドシール部４まで到達させなくても容易に開口部８の密封シールを行うことができる。すなわち、袋本体１の全高にわたってサイドシール部４の幅を広げなくても、シール金型３２の両端と左右の補強部材１１、１１との隙間を十分に確保することができる。
【００３９】
このシール金型３２により、図９に示すように、袋本体１の上辺１ｂに沿って、開口部８を密封するトップシール部２３が形成される。
【００４０】
シール金型３２の長さを左右の補強部材１１の上端面１１ｂ同士の距離より短くする方法で開口部８を密封融着する場合、容量が１リットル以上の大型の袋に適用することが好ましい。これにより、シール金型３２の両端と左右の補強部材１１、１１との隙間をより大きく確保できるので、シール金型３２に対するスタンディングパウチ１０の位置決め精度の要件を緩和でき、充填機上での連続的なスパウト取り付け作業を安定的に行うことができる。なお、サイズの異なる袋を多品種製造する場合、シール金型３２の両端を袋本体１の左右にはみださせることができないので、左右の補強部材１１、１１の間隔が異なれば、それに合わせて適当な長さを有するシール金型３２に交換する必要がある。しかし、従来より小型のシール金型を用いることにより、容量が１リットル未満の小型の袋に適用することも可能である。
【００４１】
本形態例のスタンディングパウチは、底面フィルム３を広げて下部を膨らませることにより、フレキシブルでありながら自立性に優れる。収納できる内容物の種類は特に限定はないが、流動性を有するものが好適であり、例えば液体、粘稠物、粉体、小径の粒状物などを好適に収容することができる。袋本体１の上部にスパウト２１が設けられているので、開封後に残った内容物を一時保管することも可能である。内容物の使用後に空となったスタンディングパウチは、折り畳んだり丸めたりして容易に減容できるので廃棄性に優れ、環境保護に適している。補強部材１１が袋本体１の両側部に配設されることにより、保形性および自立性が向上され、袋本体１が中ほどの高さで折れ曲がることが起こりにくくなるので、残量が少ない場合であっても、袋を傾けて内容物を注ぎ出したり、袋を自立させたりすることが容易にでき、内容物の漏れやこぼれを抑制することができる。
【００４２】
本形態例のスタンディングパウチ１０、２０によれば、補強部材１１が袋本体１の上辺１ｂに沿う位置まで延設されているので、長い補強部材１１により袋本体１の上部をも補強することができる。この結果、保形性および自立性が向上され、袋本体１が中ほどの高さで折れ曲がることのみならず、袋本体１の上部でスパウト２１が融着基部２１ａの下端部の高さから折れ曲がることも防止できる。よって、残量が少ない場合であっても、袋を傾けて内容物を注ぎ出したり、袋を自立させたりすることが容易にでき、内容物の漏れやこぼれを抑制することができる。また、補強部材１１の下端面１１ａが袋本体１の下辺１ａより上方に位置することにより、補強部材１１が袋本体１の下辺１ａより下方に突出することがないので、自立させたときの安定性を良くすることができる。
【００４３】
次に、本発明と対比される参考形態例のスタンディングパウチについて図１０〜図１２を参照して説明する。
図１０（ａ）は、参考形態例のスタンディングパウチの一例を示す正面図である。図１０（ｂ）は、図１０（ａ）のＤ−Ｄ線に沿う断面図である。図１１は、図１０のスタンディングパウチの開口部にスパウトを融着する方法を説明する説明図である。図１２は、図１０のスタンディングパウチにスパウトを取り付けてなるスパウト付きスタンディングパウチの上部を示す部分正面図である。
【００４４】
図１０に示すスタンディングパウチ１０Ｂにおいて、袋本体１Ｂは、一対の側面フィルム２、２と、側面フィルム２、２の下部に挟み込まれた底面フィルム３とから構成されている。また、底面フィルム３は折り線３ａに沿って２つ折りにされており、折り線３ａが内向き（図１０の上向き）となるように、図１０において袋本体１Ｂの下辺１ａと折り線３ａの間に重ね合わされている。
【００４５】
２枚の側面フィルム２、２は同形状であり、両者を接合するため、左右両側に融着によりサイドシール部４、４が形成されている。袋の上部においてサイドシール部４は、袋本体１Ｂの上辺１ｂまで達している。さらに袋本体１Ｂの上辺１ｂの両端から中央に向けて延設シール部１２が延設されており、左右の延設シール部１２、１２の間には、袋本体１Ｂの上辺１ｂに沿って側面フィルム２、２の間を未融着とした開口部８が形成されている。
また、側面フィルム２、２と底面フィルム３とを接合するため、袋本体１Ｂの下部には、融着によりボトムシール部６が形成されている。ボトムシール部６は、上下方向のシール幅が左右のサイドシール部４、４に近いほど大きくなる略円弧状に形成されており、袋の幅方向中央部で底を大きく広げることが可能になっている。
【００４６】
袋本体１Ｂのサイドシール部４、４および延設シール部１２、１２には、樹脂の射出成形により、柱状の補強部材１１、１１が接合されている。
図１０に示すスタンディングパウチ１０Ｂの場合、補強部材１１、１１は、少なくともサイドシール部４の端面４ａと袋本体１Ｂの上辺１ｂにおけるシール部の端面を覆うように接合されており、補強部材１１の上端面１１ｂが袋本体１Ｂの上辺１ｂより突出した形状となっている。
このため、図１１に示すように、開口部８を融着密封するシール金型３２の両端部と補強部材１１の上端面１１ｂとの間に隙間を確保することができる。袋本体１Ｂや補強部材１１等の材質等は、図１に示すスタンディングパウチ１０と同様に設定することができるので、重複する説明を省略する。
【００４７】
このスタンディングパウチ１０Ｂは、例えば、袋本体１Ｂを金型にインサートして、樹脂の射出成形により、柱状の補強部材１１の形成と袋本体１Ｂへの接合を同時に行う方法で製造することが可能である。
サイドシール部４の下部には切欠５ａが設けられており、補強部材１１の下端面１１ａが切欠５ａ内に突出している。これにより、補強部材１１を射出成形で形成と同時に袋本体１Ｂに接合するとき、金型の型締め時に切欠５ａを通して補強部材１１の下端面１１ａを成形する金型同士を、側面フィルム２、２またはそれらと底面フィルム３を介することなく直接当接させることができる。よって、金型同士で緩みのないキャビティを形成することができ、補強部材１１の下端面１１ａからのバリの発生を抑制することができる。また、切欠５ａの周縁に位置する側面フィルム２、２の端面の外側角部９ａ（図２参照）も射出された樹脂によって覆われ、補強部材１１の下端部が切欠５ａの周縁を跨いで接合される。この結果、補強部材１１の下端面１１ａが側面フィルム２、２との接合剥離の開始点となりにくいので、サイドシール部４に対する補強部材１１の接合強度が向上する。
【００４８】
図１０のスタンディングパウチ１０Ｂにスパウト２１を熱融着して図１２に示すスパウト付きスタンディングパウチ２０Ｂを作製する方法は、図７を参照して先に説明した方法と同様に行うことができる。スタンディングパウチ１０Ｂの開口部８にスパウト２１を熱融着して開口部８を密封融着する際、シール金型３２が補強部材１１に当たらないようにするためには、図１１に示すように、シール金型３２の長さを、左右の補強部材１１の上端面１１ｂ同士の距離より短くする必要がある。シール金型３２の両端部を左右の延設シール部１２に到達させることにより、シール金型３２が開口部８の全長を一度に熱融着できるため、開口部８の両端近傍のシールが不充分となることがない。
袋本体１Ｂの上辺１ｂの両端より中央に向けて延設シール部１２を延設することにより、シール金型３２の両端部をサイドシール部４まで到達させなくても容易に開口部８の密封シールを行うことができる。すなわち、袋本体１Ｂの全高にわたってサイドシール部４の幅を広げなくても、シール金型３２の両端と左右の補強部材１１、１１との隙間を十分に確保することができる。
【００４９】
図１０〜１２に示す参考形態例は、補強部材１１が袋本体１Ｂの上辺１ｂにまで延設されているが、上辺１ｂの延設されたシール部１２の端面を覆う補強部材１１は、上辺１ｂの両端において屈曲して開口部８の左右両端から離れた位置に延在するものではなく、延設部１１ｃが無いものである。図１〜図３および図７〜図９に示すように、補強部材１１の延設部１１ｃがあると、スパウト２１の存在により、補強部材１１の上端面１１ｂが他の物品と接触する確率が低くなる。たとえ接触したとしても補強部材１１の延設部１１ｃを剥離させる方向の力が加わりにくいので、補強部材１１が外れにくくなり好ましい。
【産業上の利用可能性】
【００５０】
本発明によって製造されるスタンディングパウチは、液体、粘稠物、粉体、小径の粒状物などの収容に好適に利用することができる。
【図面の簡単な説明】
【００５１】
【図１】（ａ）は本発明のスタンディングパウチの一例を示す正面図であり、（ｂ）は（ａ）のＡ−Ａ線に沿う断面図である。
【図２】図１のスタンディングパウチにおける袋本体を示す正面図である。
【図３】本発明のスパウト付きスタンディングパウチの下部を膨らませて自立させた状態の一例を示す斜視図である。
【図４】図３の矢印Ｂの方向からスタンディングパウチの下部を水平方向に見たときの部分拡大図である。
【図５】従来のスタンディングパウチの下部を示す部分正面図である。
【図６】図５に示すスタンディングパウチの下部を膨らませて自立させた状態においてスタンディングパウチの下部を水平方向に見たときの部分拡大図である。
【図７】（ａ）、（ｂ）  図１のスタンディングパウチの開口部にスパウトを融着する方法を説明する説明図である。
【図８】図１のスタンディングパウチの開口部にスパウトを融着する方法を説明する説明図である。
【図９】図１のスタンディングパウチにスパウトを取り付けてなるスパウト付きスタンディングパウチの上部を示す部分正面図である。
【図１０】（ａ）は本発明と対比される参考形態例のスタンディングパウチの一例を示す正面図であり、（ｂ）は（ａ）のＤ−Ｄ線に沿う断面図である。
【図１１】図１０のスタンディングパウチの開口部にスパウトを融着する方法を説明する説明図である。
【図１２】図１０のスタンディングパウチにスパウトを取り付けてなるスパウト付きスタンディングパウチの上部を示す部分正面図である。
【符号の説明】
【００５２】
１、１Ｂ…袋本体、１ａ…下辺、１ｂ…上辺、２…側面フィルム、３…底面フィルム、４…サイドシール部、４ａ…端面、５ａ…切欠、７…隅部、１０、１０Ｂ…スタンディングパウチ（補強部材付き袋）、１１…補強部材、１１ａ…下端面、１１ｂ…上端面、１２…延設シール部、２０、２０Ｂ…スパウト付きスタンディングパウチ、２１…スパウト。
【図１】
0005202814.tif 000002
【図２】
0005202814.tif 000003
【図３】
0005202814.tif 000004
【図４】
0005202814.tif 000005
【図５】
0005202814.tif 000006
【図６】
0005202814.tif 000007
【図７】
0005202814.tif 000008
【図８】
0005202814.tif 000009
【図９】
0005202814.tif 000010
【図１０】
0005202814.tif 000011
【図１１】
0005202814.tif 000012
【図１２】
0005202814.tif 000013